(57)【特許請求の範囲】
【請求項１】
光ファイバケーブル（７３）又は光コード（７５）から引き出された光ファイバ心線（８０）同士の光接続部（３６）を収納する光接続部収納トレー（３２）を複数枚積層しかつ互いの一側部同士を回動可能に連結してなるトレー積層部（３３Ａ，３３Ｂ）が、奥行き方向へ複数設けられた光ファイバケーブル成端箱（１１）であって、
前面が開口された成端箱本体（１３）と、
該成端箱本体の前記開口部（１３ａ）を開閉する蓋体（１４）と、
前記成端箱本体内にその奥行き方向へ間隔をあけて略平行に配設されかつ一端部がそれぞれ回動可能に支持され、裏面に前記トレー積層部がそれぞれ取り付けられた複数のトレー支持板（５１Ａ，５１Ｂ）とを有し、
前記蓋体によって前記成端箱本体の開口部を開口させた状態にて、前記トレー支持板を手前から順に前方へ回動させることにより、これらトレー支持板の裏面に取り付けられた前記トレー積層部が、前記光接続部収納トレーでの作業可能位置へそれぞれ引き出され、
奥行き方向に隣り合うトレー積層部の内、後段のトレー積層部を作業可能位置に引き出す作業にあたり、
奥行き方向に隣り合うトレー支持板の内の成端箱本体の開口部の手前側に位置するトレー支持板である前段トレー支持板（５１Ａ）を約１８０°手前へ回動させた状態にて、前記前段トレー支持板よりも奥側の後段トレー支持板（５１Ｂ）を、手前へ約９０°回動させることを特徴とする光ファイバケーブル成端箱。
【請求項２】
前記トレー支持板の回動軌跡中に介在されて、引き出された前記トレー支持板の回動を規制して、このトレー支持板を略水平位置にて支持するトレー受け部材（６４）が設けられていることを特徴とする請求項１記載の光ファイバケーブル成端箱。
【請求項３】
前記トレー支持板の回動軌跡中に設けられて、引き出された前記トレー支持板に吸着してこのトレー支持板を略水平位置に支持する磁石（６１，６２）が設けられていることを特徴とする請求項１または請求項２記載の光ファイバケーブル成端箱。
【発明の詳細な説明】
【０００１】
【発明の属する技術分野】
この発明は、光ファイバ心線同士の光接続部を収納する光ファイバケーブル成端箱に関するものである。
【０００２】
【従来の技術】
光ケーブルあるいは光コード等から引き出した光ファイバ心線同士の光接続部を収納する光ファイバケーブル成端箱としては、従来、光ファイバケーブルから導出した光ファイバ心線と別の光ファイバ心線とを光接続する光コネクタや融着接続部といった前記光接続部および接続余長を、薄板状に形成された複数の光接続部収納トレーに整理して収納し、これら光接続部収納トレーを光ファイバケーブルの成端位置に設置した成端箱本体内に積層状態に収納した構成が一般的である。
【０００３】
【発明が解決しようとする課題】
ところで、上記のような光ファイバケーブル成端箱の場合、成端箱本体の設置向きによっては、光ファイバ心線同士の接続切り替え時等に、成端箱本体からの光接続部収納トレーの取り出しや再収納に支障を来すといった問題があった。
すなわち、前記光ファイバケーブル成端箱は、図２０及び図２１に示すように、当該光ファイバケーブル成端箱のベース１に対して複数の光接続部収納トレー２を垂直または平行に保持して積層状態として収納することが一般的であるが、光接続部収納トレー２の内部で作業を行うにはその作業面を略平行に保持する必要があるので、例えば壁３に取り付ける場合には、光接続部収納トレー２の作業面が垂直になって光接続部の取り出しや再収納の作業能率が低下するケースが生じる。
また、床４に取り付ける場合にも、成端箱本体５からの光接続部収納トレー２の取り出し作業を考慮すると、光接続部収納トレー２を再度成端箱本体５に収納するときの余長処理が面倒になったり、光接続部収納トレー２を取り外して別の場所で作業しなければならないケースが生じる。
また、光接続部収納トレー２の積層枚数を増やすと、重量化にともなう支持構造の強化が必要となるばかりか、成端箱本体５からの取り出しがさらに困難となってしまうという問題があった。
【０００４】
この発明は、上記事情に鑑みてなされたもので、沢山の光接続部収納トレーを収納することができ、しかも、光接続部収納トレーでの作業及びこの作業を行うための、光接続部収納トレーの取り出し及び再収納を極めて容易に行うことができる光ファイバケーブル成端箱を提供することを目的としている。
【０００５】
【課題を解決するための手段】
上記目的を達成するために、請求項１記載の光ファイバケーブル成端箱は、光ファイバケーブル又は光コードから引き出された光ファイバ心線同士の光接続部を収納する光接続部収納トレーを複数枚積層しかつ互いの一側部同士を回動可能に連結してなるトレー積層部が、奥行き方向へ複数設けられた光ファイバケーブル成端箱であって、前面が開口された成端箱本体と、該成端箱本体の前記開口部を開閉する蓋体と、前記成端箱本体内にその奥行き方向へ間隔をあけて略平行に配設されかつ一端部がそれぞれ回動可能に支持され、裏面に前記トレー積層部がそれぞれ取り付けられた複数のトレー支持板とを有し、前記蓋体によって前記成端箱本体の開口部を開口させた状態にて、前記トレー支持板を手前から順に前方へ回動させることにより、これらトレー支持板の裏面に取り付けられた前記トレー積層部が、前記光接続部収納トレーでの作業可能位置へそれぞれ引き出され、奥行き方向に隣り合うトレー積層部の内、後段のトレー積層部を作業可能位置に引き出す作業にあたり、奥行き方向に隣り合うトレー支持板の内の成端箱本体の開口部の手前側に位置するトレー支持板である前段トレー支持板（５１Ａ）を約１８０°手前へ回動させた状態にて、前記前段トレー支持板よりも奥側の後段トレー支持板（５１Ｂ）を、手前へ約９０°回動させることを特徴としている。
【０００６】
請求項２記載の光ファイバケーブル成端箱は、請求項１記載の光ファイバケーブル成端箱において、前記トレー支持板の回動軌跡中に介在されて、引き出された前記トレー支持板の回動を規制して、このトレー支持板を略水平位置にて支持するトレー受け部材が設けられていることを特徴としている。
請求項３記載の光ファイバケーブル成端箱は、請求項１または請求項２記載の光ファイバケーブル成端箱において、前記トレー支持板の回動軌跡中に設けられて、引き出された前記トレー支持板に吸着してこのトレー支持板を略水平位置に支持する磁石が設けられていることを特徴としている。
【０００７】
【発明の実施の形態】
以下、本発明の実施の形態の光ファイバケーブル成端箱を図によって説明する。
図１から図５において、符号１１は、光ファイバケーブル成端箱であり、符号１２は、この光ファイバケーブル成端箱を構成する箱体である。この箱体１２は、壁、床等の所定の設置位置２２に固定される成端箱本体１３と、この成端箱本体１３の前面側に設けられた蓋体１４とから構成されている。この蓋体１４は、成端箱本体１３の一側部にてヒンジ１５によって回動可能に連結されている。すなわち、この蓋体１４を回動させることにより、成端箱本体１３の前面側の開口部１３ａが開閉されるようになっている。
【０００８】
また、この蓋体１４には、ヒンジ１５による成端箱本体１３との連結箇所と反対側の他側部に、係止板１６を有する係止部１７が設けられており、この係止部１７のキー孔１８へ図示しないキーを差し込んで操作することにより、係止板１６が回動して成端箱本体１３の開口部１３ａの縁部に係脱されるようになっている。
また、符号２１は、成端箱本体１３を壁等の設置箇所２２へ固定するネジであり、これらネジ２１を、成端箱本体１３を構成する裏面板部１３ｂに形成された孔へ挿通し、設置個所２２に予め埋め込んだインサート２３へねじ込んで成端箱本体１３を設置個所２２へ固定することにより、光ファイバケーブル成端箱１１が設置個所２２へ設置されるようになっている。
なお、この成端箱本体１３を設置個所２２へ固定するネジ２１として、例えば釘ネジ等を用いて、これらネジを設置個所２２へ直接ねじ込んでも良い。
【０００９】
また、成端箱本体１３の裏面板部１３ｂには、その内面側にめねじ部を有する固定片２４が設けられており、これら固定片２４には、ベース板２５が取り付けられている。すなわち、このベース板２５に形成された孔部へネジ２６を挿通して、このネジ２６を固定片２４のめねじ部へねじ込むことにより、これらネジ２６によってベース板２５が成端箱本体１３の裏面板部１３ｂの内面側に取り付けられている。
【００１０】
このベース板２５は、その上方位置が、光接続部収納部３１とされている。この光接続部収納部３１には、複数の光接続部収納トレー３２を積層させた二つのトレー積層部３３が前後に配置されており、これらトレー積層部３３の前段側のものが前段トレー積層部３３Ａとされ、トレー積層部３３の後段側のものが後段トレー積層部３３Ｂとされている。
【００１１】
これら前段トレー積層部３３Ａ及び後段トレー積層部３３Ｂを構成する光接続部収納トレー３２は、図６及び図７に示すように、薄板状の底板部３４の周囲に所定高さのフランジ部３５が形成されて、その内部が収納空間とされたもので、この内部の収納空間に、後述する光ファイバケーブル７３から導出した光ファイバ心線８０と光コード（他の光ファイバ）７５から導出した光ファイバ心線８０との光接続部としての融着接続部３６及びその前後の接続余長３７が収納されるようになっている。
この光接続部収納トレー３２には、底板部３４に、融着保持部３８が形成され、フランジ部３５の内面側に、余長支持板３９が複数箇所に突設されている。そして、融着保持部３８によって融着接続部３６がクランプ保持され、余長支持板３９によって収納空間内にて巻回された接続余長３７がクランプ保持されている。
【００１２】
これら光接続部収納トレー３２は、それぞれの下端側がヒンジ部４１によってヒンジ結合されて互いに回動可能とされいる。また、これら光接続部収納トレー３２のそれぞれの上端側におけるフランジ部３５には、図７に示すように、互いに係合する係止爪４２及び係止突起４３が形成されており、これら係止爪４２及び係止突起４３の係止力によって互いの光接続部収納トレー３２同士の回動が禁止されるようになっている。
また、光接続部収納トレー３２同士をヒンジ結合するヒンジ部４１の形成位置近傍には、光ファイバ心線８０を光接続部収納トレー３２の収納空間内へ導入するための導入口４４が形成されており、これら導入口４４に、それぞれコード化された光ファイバ心線８０の被覆あるいは光ファイバ心線８０を通した補強チューブがクランプ固定されている。なお、光接続部収納トレー３２に収納する光接続部としては、融着接続部以外、光コネクタ等であっても良い。
【００１３】
そして、上記構成の前段トレー積層部３３Ａ及び後段トレー積層部３３Ｂがそれぞれ前段トレー支持板５１Ａ及び後段トレー支持板５１Ｂに、その最下段の光接続部トレー３２をネジ止め固定することにより取り付けられ、成端箱本体１３内における前後に配置されて収納されている。
【００１４】
ベース板２５の幅方向中央部における上端部分には、図８に示すように、先端部分が下方へ屈曲された高さの異なる二つの前段固定板５３Ａ及び後段固定板５３Ｂがネジ止め固定されている。
また、ベース板２５の幅方向中央部における上下中央近傍部分には、図９に示すように、高さの異なる二つの前段突設板５４Ａ及び後段突設板５４Ｂがネジ止め固定されており、高さの低い後段突設板５４Ｂは、その先端部分が上方へ屈曲され、高さの高い前段突設板５４Ａは、その先端部が上方へ屈曲されさらに前方へ水平に屈曲されたＬ字状に形成されている。
【００１５】
これら前段突設板５４Ａ及び後段突設板５４Ｂの先端部には、それぞれヒンジ５５によって前記前段トレー支持板５１Ａ及び後段トレー支持板５１Ｂの基端部が連結されており、これら前段トレー支持板５１Ａ及び後段トレー支持板５１Ｂが、ヒンジ５５による連結箇所にて成端箱本体１３の幅方向へ向かう軸線を中心として回動可能とされている。
また、前段トレー支持板５１Ａ及び後段トレー支持板５１Ｂの先端部には、前記前段固定板５３Ａ及び後段固定板５３Ｂの屈曲された先端部に形成された係合孔５６へ係脱可能な保持具５７がそれぞれ設けられており、これら保持具５７によって、前段トレー支持板５１Ａ及び後段トレー支持板５１Ｂの先端部が前段固定板５３Ａ及び後段固定板５３Ｂの先端部にそれぞれ係脱されるようになっている。
【００１６】
また、後段突設板５４Ｂの先端部には、その前面側にマグネット（磁石）６１が設けられ、前段突設板５４Ａの先端部の水平部分には、その下面側にマグネット（磁石）６２が設けられている。
つまり、前段トレー支持板５１Ａを、ヒンジ５５を中心として手前へ約１８０°回動させた際に、この前段トレー支持板５１Ａの連結箇所近傍がマグネット６２に吸着され、また、この状態にて、後段トレー支持板５１Ｂを、ヒンジ５５を中心として手前へ約９０°回動させた際に、この後段トレー支持板５１Ｂの連結箇所近傍がマグネット６１に吸着されるようになっている。
【００１７】
また、前段突設板５４Ａには、その先端部近傍に、先端部にコ字状に屈曲されたトレー受け部６３が形成されたトレー受け部材６４の基端部が回動可能に連結されて略水平に支持されている。
そして、このトレー受け部材６４を、前段突設板５４Ａとの連結箇所を中心として回動させることにより、手前へ引き出されてトレー受け部６３が前段トレー支持板５１Ａの回動軌跡に介在するようになっている。すなわち、このトレー受け部材６４を手前へ回動させた状態にて前段トレー支持板５１Ａを手前へ回動させると、この前段トレー支持板５１Ａが、略水平位置にてその回動が規制されるようになっている。
【００１８】
また、ベース板２５には、図８に示すように、その上方位置に、トレー受け板６５が取り付けられるようになっている。このトレー受け板６５は、その一端部に、前記後段固定板５３Ｂの先端部に形成された係合孔５６へ係合可能な係合突起６６が形成された板材からなるもので、このトレー受け板６５の他端を、ベース板２５に形成された係合切欠部６７に係合させ、さらに、先端部の係合突起６６を、後段固定板５３Ｂの屈曲された先端部の係合孔５６へ係合させることより、このトレー受け板６５がベース板２５に対して斜め（約４５°）に傾斜された状態で支持されるようになっている。
なお、符号６８は、ベース板２５の表面及び後段トレー支持板５１Ｂの前面に取り付けられたクッション材である。
【００１９】
また、成端箱本体１３の底部には、複数の窓部７１が形成されており、これら窓部７１には、それぞれパネル７２がネジ止め固定されている。
両側のパネル７２の内の一方（図３中左側）のパネル７２ａには、ケーブル導入孔部（図示略）が形成されており、このケーブル導入孔部には、光ファイバケーブル７３が挿通され、導入金具７４によって水密状態に保持されている。
また、両側のパネル７２の内の他方（図３中右側）のパネル７２ｂには、複数のコード導入孔部（図示略）が形成されており、これらコード導入孔部には、それぞれ光コード７５が挿通され、導入金具７６によって水密状態に保持されている。
【００２０】
光ファイバケーブル７３は、端末から導出されたテンションメンバ７７をベース板２５の下方左側に取り付けられた引留具７８に固定することにより成端箱本体１３内に引き留められている。また、複数の光コード７５は、端末から導出されたケブラ部もしくはテンションメンバ８１をベース板２５の下方右側に取り付けられたケブラ留め具８２にそれぞれ固定することにより引き留められている。そして、これら光ファイバケーブル７３及び光コード７５からそれぞれ導出された光ファイバ心線８０が、前記光接続部収納トレー３２内へ引き込まれ、これらの接続部である融着接続部３６及びその両側の接続余長３７が前述したように収納されている。
【００２１】
なお、成端箱本体１３の上面には、両側部近傍にそれぞれ導入金具８５が設けられており、これら導入金具８５によって他の光ファイバケーブルが成端箱本体１３に保持可能とされている。すなわち、成端箱本体１３内へ他の光ファイバケーブルが引き込み可能とされている。
また、図１中符号８６は、光コード７５からそれぞれ引き出された光ファイバ心線８０を結束して保持する心線クランプであり、符号８７は、成端箱本体１３の下方側に配設されて、成端箱本体１３内に引き込まれた光ファイバ心線８０の前方側を覆って保護する例えば樹脂板等から形成された心線保護カバーである。なおまた、符号８８は、成端箱本体１３の底部に取り付けられたパネル７２ａに固定されたアース端子である。
【００２２】
次に、上記構造の光ファイバケーブル成端箱１１の各光接続部トレー３２での作業、つまり、光ファイバ心線８０の接続の切り替え、融着接続部３６の保守点検のための融着接続部３６の取り外し、再収納等の作業等を行う場合について説明する。
【００２３】
まず、この光ファイバケーブル成端箱１１の設置個所２２として壁に設置した場合について図１０から図１５を参照して説明する。
（Ａ）前段トレー積層部３３Ａの光接続部収納トレー３２の作業を行う場合
まず、係止部１７のキー孔１８へキーを差し込んで回動させ、係止板１６による成端箱本体１３の開口部１３ａ縁部への係合を解除させ、蓋体１４を回動させて成端箱本体１３を開口させ、さらに、成端箱本体１３下方側に設けられた心線保護カバー８７を取り外す。
次いで、前段突設板５４Ａに設けられたトレー受け部材６４を、前段突設板５４Ａとの連結箇所を中心として約１８０°回動させて前方側へ引き出す（図１０参照）。
【００２４】
この状態において、前段トレー積層部３３Ａの前段トレー支持板５１Ａの保持具５７による前段固定板５３Ａの係合孔５６への係合を解除し、この前段トレー支持板５１Ａがトレー受け部材６４のトレー受け部６３に当接するまで約９０°手前へ回動させる（図１１参照）。
このようにすると、この前段トレー積層部３３Ａがトレー受け部材６４によって略水平に支持される。
【００２５】
つまり、この状態において、前段トレー積層部３３Ａの各光接続部収納トレー３２での作業が可能な状態とされる。そして、２段目以降の光接続部収納トレー３２での作業を行う場合は、図１２に示すように、その段の光接続部収納トレー３２の係止爪４２と係止突起４３とによる上段の光接続部収納トレー３２との係合を解除してこの上段の光接続部収納トレー３２を回動させることにより、光接続部収納トレー３２の上面側を開口して作業を行うことができる。なお、このように光接続部収納トレー３２を回動させた際に、最上段の光接続部収納トレー３２は、後段トレー積層部３３Ｂの後段トレー支持板５１Ｂの表面に取り付けたクッション材６８に当接する。すなわち、このクッション材６８によって、最上段の光接続部収納トレー３２が保護される。
【００２６】
（Ｂ）後段トレー積層部３３Ｂの光接続収納トレー３２の作業を行う場合
上記と同様に、まず、蓋体１４を開いて成端箱本体１３を開口させ、さらに、心線保護カバー８７を取り外す。
次いで、前段トレー積層部３３Ａの前段トレー支持板５１Ａの保持具５７による前段固定板５３Ａの係合孔５６への係合を解除し、この前段トレー支持板５１Ａを約１８０°手前へ回動させる。
このようにすると、この前段トレー支持板５１Ａが前段突設板５４Ａの先端部に設けられたマグネット６２に吸着されて、前段トレー積層部３３Ａが保持される（図１３参照）。
【００２７】
この状態において、後段トレー積層部３３Ｂの後段トレー支持板５１Ｂの保持具５７による後段固定板５３Ｂの係合孔５６への係合を解除し、この後段トレー支持板５１Ｂを約９０°手前へ回動させる。このようにすると、この後段トレー支持板５１Ｂが後段突設板５４Ｂの先端部に設けられたマグネット６１に吸着されて、後段トレー積層部３３Ｂが水平に保持される（図１４参照）。
つまり、この状態において、後段トレー積層部３３Ｂの各光接続部収納トレー３２での作業が可能な状態とされる。
そして、２段目以降の光接続部収納トレー３２での作業を行う場合は、図１５に示すように、その段の光接続部収納トレー３２の係止爪４２と係止突起４３とによる上段の光接続部収納トレー３２との係合を解除してこの上段の光接続部収納トレー３２を回動させることにより、光接続部収納トレー３２の上面側を開口して作業を行うことができる。なお、このように光接続部収納トレー３２を回動させた際に、最上段の光接続部収納トレー３２は、ベース板２５の表面に取り付けたクッション材６８に当接する。すなわち、このクッション材６８によって、最上段の光接続部収納トレー３２が保護される。
【００２８】
次に、この光ファイバケーブル成端箱１１を横置きに設置した場合について図１６から図１９を参照して説明する。
なお、この光ファイバケーブル成端箱１１を横置きに設置する場合は、後段トレー支持板５１Ｂに対して、各光接続部収納トレー３２を逆向きに取り付けておく。
（Ｃ）前段トレー積層部３３Ａの光接続部収納トレー３２の作業を行う場合
蓋体１４を開いて成端箱本体１３を開口させ、さらに、心線保護カバー８７を取り外した状態にて、前段トレー積層部３３Ａの前段トレー支持板５１Ａの保持具５７による前段固定板５３Ａの係合孔５６への係合を解除し、この前段トレー支持板５１Ａを約１８０°手前へ回動させる。
このようにすると、この前段トレー支持板５１Ａが前段突設板５４Ａの先端部に設けられたマグネット６２に吸着されて、前段トレー積層部３３Ａが略水平に保持される（図１６参照）。
【００２９】
つまり、この状態において、前段トレー積層部３３Ａの各光接続部収納トレー３２での作業が可能な状態とされる。そして、２段目以降の光接続部収納トレー３２での作業を行う場合は、図１７に示すように、その段の光接続部収納トレー３２の係止爪４２と係止突起４３とによる上段の光接続部収納トレー３２との係合を解除してこの上段の光接続部収納トレー３２を回動させることにより、光接続部収納トレー３２の上面側を開口して作業を行うことができる。
【００３０】
（Ｄ）後段トレー積層部３３Ｂの光接続部収納トレー３２の作業を行う場合
蓋体１４を開いて成端箱本体１３を開口させ、さらに、心線保護カバー８７を取り外した状態にて、前段トレー積層部３３Ａの前段トレー支持板５１Ａの保持具５７による前段固定板５３Ａの係合孔５６への係合を解除し、この前段トレー支持板５１Ａを約１８０°手前へ回動させ、この前段トレー支持板５１Ａをマグネット６２に吸着させて、前段トレー積層部３３Ａを略水平に保持させる（図１６参照）。
【００３１】
この状態において、後段トレー積層部３３Ｂの後段トレー支持板５１Ｂの保持具５７による後段固定板５３Ｂの係合孔５６への係合を解除し、この後段トレー支持板５１Ｂを約９０°手前へ回動させる。このようにすると、この後段トレー支持板５１Ｂが後段突設板５４Ｂの先端部に設けられたマグネット６１に吸着されて、後段トレー積層部３３Ｂが立設された状態に保持される（図１８参照）。
【００３２】
次いで、図８に示すように、ベース板２５に形成された係合切欠部６７に、トレー受け板６５の後端部を係合させながら、このトレー受け板６５の先端部の係合突起６６を後段固定板５３Ｂの係合孔５６へ係合させて支持させる。そして、この状態において、図１９に示すように、作業する段の光接続部収納トレー３２の係止爪４２と係止突起４３とによる上段の光接続部収納トレー３２との係合を解除してこの上段の光接続部収納トレー３２を、トレー受け板６５に当接するまで回動させる。
このようにすると、この光接続部収納トレー３２がトレー受け板６５によって略水平に支持された状態に開口され、この段の光接続部収納トレー３２での作業を行うことができる。
【００３３】
以上、説明したように、上記構造の光ファイバケーブル成端箱１１によれば、光接続部収納トレー３２を複数枚積層したトレー積層部３３を、成端箱本体１３内にその奥行き方向へ間隔をあけて略平行に配設された二つの前段トレー支持板５１Ａ及び後段トレー支持板５１Ｂの裏面にそれぞれ取り付けた構造、つまり、トレー積層部３３を二つの前段トレー積層部３３Ａ及び後段トレー積層部３３Ｂに分割してそれぞれ前段トレー支持板５１Ａ及び後段トレー支持板５１Ｂに取り付けた構造であるので、トレー積層部３３を一括して支持する構造と比較して、一括支持よりも、回動させてトレー積層部３３を開くスペースが少なくてすむので、光ファイバケーブル成端箱１１のコンパクト化（特に縦寸法のコンパクト化）を図ることができる。
【００３４】
しかも、作業する光接続部収納トレー３２の上側にある他の光接続部収納トレー３２を除くときの回動半径が小さくされるので、成端箱本体１３を大型化することなく、光接続部収納トレー３２の収納枚数を増やすことができる。つまり、成端箱本体１３の内部スペースを有効的に使用することができる。
また、前段突設板５４Ａには、光ファイバケーブル成端箱１１を壁に設置した状態にて、引き出された前段トレー支持板５１Ａを略水平に支持するトレー受け部材６４が設けられているので、この前段トレー支持板５１Ａに取り付けられた前段トレー積層部３３Ａを構成する光接続部収納トレー３２における作業を良好に行うことができる。
【００３５】
さらには、引き出された前段トレー支持板５１Ａ及び後段トレー支持板５１Ｂに吸着して支持するマグネット６２、６１が設けられ、特に、壁掛けとして設置した場合は、後段トレー支持板５１Ｂがマグネット６１に吸着されて略水平に支持され、横置きに設置した場合は、前段トレー支持板５１Ａがマグネット６２に吸着されて略水平に支持されるので、これら後段トレー支持板５１Ｂ及び前段トレー支持板５１Ａに取り付けられた後段トレー積層部３３Ｂ及び前段トレー積層部３３Ａを構成する光接続部収納トレー３２における作業を良好に行うことができる。
【００３６】
【発明の効果】
以上、説明したように、本発明の光ファイバケーブル成端箱によれば、下記の効果を得ることができる。
請求項１記載の光ファイバケーブル成端箱によれば、光接続部収納トレーを複数枚積層したトレー積層部を、成端箱本体内にその奥行き方向へ間隔をあけて略平行に配設された二つのトレー支持板の裏面に取り付けた構造、つまり、トレー積層部を分割してそれぞれ二つのトレー支持板に取り付けた構造であるので、トレー積層部を一括して支持する構造と比較して、一括支持よりも、回動させてトレー積層部を開くスペースが少なくてすむので、コンパクト化（特に縦寸法のコンパクト化）を図ることができる。
しかも、作業する光接続部収納トレーの上側にある他の光接続部収納トレーを除くときの回動半径が小さくされるので、成端箱本体を大型化することなく、光接続部収納トレーの収納枚数を増やすことができる。つまり、成端箱本体の内部スペースを有効的に使用することができる。
【００３７】
請求項２記載の光ファイバケーブル成端箱によれば、引き出されたトレー支持板がトレー受け部材によって略水平に支持されるので、このトレー支持板に取り付けられたトレー積層部を構成する光接続部収納トレーにおける作業を良好に行うことができる。
請求項３記載の光ファイバケーブル成端箱によれば、引き出されたトレー支持板が磁石によって吸着されて略水平に支持されるので、このトレー支持板に取り付けられたトレー積層部を構成する光接続部収納トレーにおける作業を良好に行うことができる。
【図面の簡単な説明】
【図１】  本発明の実施の形態の光ファイバケーブル成端箱の構成及び構造を説明する蓋体を取り外した光ファイバケーブル成端箱の正面図である。
【図２】  本発明の実施の形態の光ファイバケーブル成端箱の構成及び構造を説明する光ファイバケーブル成端箱の側断面図である。
【図３】  本発明の実施の形態の光ファイバケーブル成端箱の構成及び構造を説明する光ファイバケーブル成端箱の裏面図である。
【図４】  本発明の実施の形態の光ファイバケーブル成端箱の構成及び構造を説明する光ファイバケーブル成端箱の正面図である。
【図５】  本発明の実施の形態の光ファイバケーブル成端箱の構成及び構造を説明する光ファイバケーブル成端箱の側面図である。
【図６】  本発明の実施の形態の光ファイバケーブル成端箱内に収納された光接続部収納トレーの構造を説明する光接続部収納トレーの平面図である。
【図７】  本発明の実施の形態の光ファイバケーブル成端箱内に収納された光接続部収納トレーの構造を説明する積層された光接続部収納トレーの一部の断面図である。
【図８】  本発明の実施の形態の光ファイバケーブル成端箱の内部構造を説明する前段及び後段固定板付近の斜視図である。
【図９】  本発明の実施の形態の光ファイバケーブル成端箱の内部構造を説明するトレー積層部付近の斜視図である。
【図１０】  本発明の実施の形態の光ファイバケーブル成端箱における作業手順を説明する光ファイバケーブル成端箱の側断面図である。
【図１１】  本発明の実施の形態の光ファイバケーブル成端箱における作業手順を説明する光ファイバケーブル成端箱の側断面図である。
【図１２】  本発明の実施の形態の光ファイバケーブル成端箱における作業手順を説明する光ファイバケーブル成端箱の側断面図である。
【図１３】  本発明の実施の形態の光ファイバケーブル成端箱における作業手順を説明する光ファイバケーブル成端箱の側断面図である。
【図１４】  本発明の実施の形態の光ファイバケーブル成端箱における作業手順を説明する光ファイバケーブル成端箱の側断面図である。
【図１５】  本発明の実施の形態の光ファイバケーブル成端箱における作業手順を説明する光ファイバケーブル成端箱の側断面図である。
【図１６】  本発明の実施の形態の光ファイバケーブル成端箱における作業手順を説明する光ファイバケーブル成端箱の側断面図である。
【図１７】  本発明の実施の形態の光ファイバケーブル成端箱における作業手順を説明する光ファイバケーブル成端箱の側断面図である。
【図１８】  本発明の実施の形態の光ファイバケーブル成端箱における作業手順を説明する光ファイバケーブル成端箱の側断面図である。
【図１９】  本発明の実施の形態の光ファイバケーブル成端箱における作業手順を説明する光ファイバケーブル成端箱の側断面図である。
【図２０】  従来の光ファイバケーブル成端箱を床に設置した場合を示す光ファイバケーブル成端箱の側面図である。
【図２１】  従来の光ファイバケーブル成端箱を壁に設置した場合を示す光ファイバケーブル成端箱の側面図である。
【符号の説明】
１１……光ファイバケーブル成端箱、１３……成端箱本体、１３ａ……開口部、１４……蓋体、３２……光接続部収納トレー、３３……トレー積層部、３６……融着接続部（光接続部）、５１Ａ……前段トレー支持板（トレー支持板）、５１Ｂ……後段トレー支持板（トレー支持板）、６１，６２……マグネット（磁石）、６４……トレー受け部材、７３……光ファイバケーブル、７５……光コード、８０……光ファイバ心線。
【図１】
0003722942.tif 000002
【図２】
0003722942.tif 000003
【図３】
0003722942.tif 000004
【図４】
0003722942.tif 000005
【図５】
0003722942.tif 000006
【図６】
0003722942.tif 000007
【図７】
0003722942.tif 000008
【図８】
0003722942.tif 000009
【図９】
0003722942.tif 000010
【図１０】
0003722942.tif 000011
【図１１】
0003722942.tif 000012
【図１２】
0003722942.tif 000013
【図１３】
0003722942.tif 000014
【図１４】
0003722942.tif 000015
【図１５】
0003722942.tif 000016
【図１６】
0003722942.tif 000017
【図１７】
0003722942.tif 000018
【図１８】
0003722942.tif 000019
【図１９】
0003722942.tif 000020
【図２０】
0003722942.tif 000021
【図２１】
0003722942.tif 000022